(57)【特許請求の範囲】
【請求項１】
外面に第１の突起部を有する第１の管と、
内向きに突出する第２の突起部を有するリングと、
前記第１の管が挿入可能に形成され、かつ、前記リングが周方向に回転可能に設置される第２の管と、を備え、
前記リングの回転により前記第１の突起部と前記第２の突起部が位置合わせされたときに、前記第１の管と前記第２の管が固定され、
前記リングは、外面に操作部を有し、
前記第２の管は、周方向に延伸する操作窓を有し、
前記リングは、前記操作部を前記操作窓から露出させた状態で、前記第２の管の内側に設置され、
前記操作窓から露出する前記操作部を周方向に移動させることにより、前記第２の管の外から前記リングを回転可能に構成されることを特徴とする接続構造。
【請求項２】
外面に第１の係合部を有する第１の管と、
第２の係合部を有するとともに前記第１の管を挿入可能な内管と、前記内管を覆う外殻を含む第２の管と、
前記第２の管において、前記内管と前記外殻の間で軸方向にスライド可能に設置される留め具と、を備え、
前記第１の係合部と前記第２の係合部を係合させた状態において、前記留め具が前記第２の係合部の直上までスライドされたときに、前記第１の管および前記第２の管が固定されることを特徴とする接続構造。
【請求項３】
前記第１の係合部は前記第１の管の外面に形成される溝であり、前記第２の係合部は前記溝に係合する爪であることを特徴とする請求項２に記載の接続構造。
【請求項４】
前記留め具は、外面に操作部を有し、
前記第２の管の前記外殻は、軸方向に延伸する操作窓を有し、
前記留め具は、前記操作部を前記操作窓から露出させた状態で、前記外殻の内側に設置され、
前記操作窓から露出する前記操作部を軸方向に移動させることにより、前記第２の管の外から前記留め具をスライド可能に構成されることを特徴とする請求項２に記載の接続構造。
【請求項５】
外面に第１の係合部を有する継手管と、
第２の係合部を有するとともに前記継手管を挿入可能な内管と、前記内管を覆う外殻を含む吐水ヘッドと、
前記吐水ヘッドにおいて、前記内管と前記外殻の間で軸方向にスライド可能に設置される留め具と、を備え、
前記第１の係合部と前記第２の係合部を係合させた状態において、前記留め具が前記第２の係合部の直上までスライドされたときに、前記継手管および前記吐水ヘッドが相互固定されることを特徴とする水栓。
【発明の詳細な説明】
【技術分野】
【０００１】
本発明は、二つの管の接続構造、特に、二つの管の接続を安定させる技術、に関する。
【背景技術】
【０００２】
二つの管の一方を他方に挿入して接続する構造においては、一般的にはネジで相互を固定することが多い。しかし、ネジは工具を必要とするため、二つの管を随時に着脱自在な状態で接続したい場合には向いていない。
【０００３】
特許文献１は、吐水管（吐水ヘッド）を水栓本体の内筒部に上から差し込む接続構造を示す。内筒部には係合溝が形成され、吐水管の係合爪が係合溝に嵌め込まれる。スリーブがスプリングの弾性力によって係合爪を押さえつけることで、吐水管は内筒部にロックされる。
【先行技術文献】
【特許文献】
【０００４】
【特許文献１】実開平６−１４２５９号公報
【発明の概要】
【発明が解決しようとする課題】
【０００５】
特許文献１では、吐水管と内筒部の接続力（ロックする力）はスプリングの弾性力に依存している。また、接続箇所にスプリングを設置するための空間を確保する必要がある。
【０００６】
本発明は、上記課題認識をしつつなされたものであり、その主たる目的は、二つの管を着脱容易かつ安定的に接続するための技術、を提供することにある。
【課題を解決するための手段】
【０００７】
本発明のある態様における接続構造は、外面に第１の突起部を有する第１の管と、内向きに突出する第２の突起部を有するリングと、第１の管が挿入可能に形成され、かつ、リングが周方向に回転可能に設置される第２の管と、を備える。
リングの回転により第１の突起部と第２の突起部が位置合わせされたときに、第１の管と第２の管が固定され、リングは、外面に操作部を有し、第２の管は、周方向に延伸する操作窓を有し、リングは、操作部を操作窓から露出させた状態で、第２の管の内側に設置され、操作窓から露出する操作部を周方向に移動させることにより、第２の管の外からリングを回転可能に構成される。
【０００８】
本発明の別の態様における接続構造は、第１の突起部を有する第１の管と、第２の突起部を有するリングと、第１の管が挿入可能または第１の管に挿入可能に形成され、かつ、リングが回転可能に設置される第２の管と、を備える。
リングの回転により第１の突起部と第２の突起部が位置合わせされたときに、第１の管と第２の管が固定される。
【０００９】
本発明の更に別の態様もまた、接続構造である。この接続構造は、外面に第１の係合部を有する第１の管と、第２の係合部を有するとともに第１の管を挿入可能な内管と、内管を覆う外殻を含む第２の管と、第２の管において、内管と外殻の間で軸方向にスライド可能に設置される留め具と、を備える。
第１の係合部と第２の係合部を係合させた状態において、留め具が第２の係合部の直上までスライドされたときに、第１の管および第２の管が固定される。
【００１０】
本発明の更に別の態様は、水栓である。この水栓は、側面に継手管が形成される本体部と、内向きに突出する第２の突起部を有するリングと、継手管が挿入可能に形成され、かつ、リングが周方向に回転可能に設置される吐水ヘッドと、を備える。
継手管の外面には第１の突起部が形成されている。第１の突起部と第２の突起部の係合により継手管と吐水ヘッドが相互固定される。
【００１１】
本発明の更に別の態様も、水栓である。この水栓は、外面に第１の係合部を有する継手管と、第２の係合部を有するとともに継手管を挿入可能な内管と、内管を覆う外殻を含む吐水ヘッドと、吐水ヘッドにおいて内管と外殻の間で軸方向にスライド可能に設置される留め具と、を備える。
第１の係合部と第２の係合部を係合させた状態において、留め具が第２の係合部の直上までスライドされたときに、継手管および吐水ヘッドが相互固定される。
【発明の効果】
【００１２】
本発明によれば、二つの管を着脱容易かつ安定的に接続しやすくなる。
【図面の簡単な説明】
【００１３】
【図１】水栓の側面図である。
【図２】水栓の分解斜視図である。
【図３】第１実施形態における吐水ヘッドの分解斜視図である。
【図４】第１実施形態における内管の拡大斜視図である。
【図５】第１実施形態における吐水ヘッドと継手管の接合部分の拡大断面図である。
【図６】第１実施形態において吐水ヘッドを回転部に取り付ける前の外観斜視図である。
【図７】第１実施形態においてリリース状態にあるときの接続部分の断面図である。
【図８】第１実施形態において吐水ヘッドを回転部に取り付けた後の外観斜視図である。
【図９】第１実施形態においてロック状態にあるときの接続部分の断面図である。
【図１０】第１の実施形態の変形例としての接続構造の模式図である。
【図１１】第２実施形態における吐水ヘッドの分解斜視図である。
【図１２】第２の実施形態において吐水ヘッドを回転部に取り付ける前の外観斜視図である。
【図１３】第２実施形態においてリリース状態にあるときの接続部分の断面図である。
【図１４】第１実施形態において吐水ヘッドを回転部に取り付けた後の外観斜視図である。
【図１５】第２実施形態においてロック状態にあるときの接続部分の断面図である。
【図１６】第２実施形態における内管の外観斜視図である。
【図１７】第２実施形態における内管のレール付近を拡大した模式図である。
【発明を実施するための形態】
【００１４】
図１は、本実施形態における水栓１００の側面図である。図２は、水栓１００の分解斜視図である。
水栓１００は、水栓本体部１１２（本体部）と吐水ヘッド１０６（第２の管）を含む。水栓本体部１１２は、吐水ハンドル１０２、回転部１０４、支柱部１０８および支柱キャップ１１４を含む。支柱部１０８は、台所などに固定され、通水管１１０（図２参照）を内蔵する。この支柱部１０８のまわりには回転部１０４が設置される。回転部１０４は、支柱部１０８を中心として水平方向に回転する。回転部１０４の上にある支柱キャップ１１４は、支柱部１０８と接続されることで回転部１０４を上下方向に位置決めする固定部材である。ユーザが吐水ハンドル１０２を垂直方向に動かすと、吐水ハンドル１０２が操作突起１１６を前後させ、これによって支柱部１０８内にある弁が開閉される。
【００１５】
継手管１１８（第１の管）は、回転部１０４から径方向、好ましくは斜め上方に突出し、通水管１１０と通水口１２４を介して接続される。吐水ヘッド１０６は、継手管１１８を収容した状態で、回転部１０４に固定される。図１に示すように、吐水ヘッド１０６の端部は回転部１０４の側面部と当接する。吐水ヘッド１０６の下部には周方向に操作窓１２２が形成される。操作窓１２２の詳細は後述する。
【００１６】
［第１実施形態］
図３は、第１実施形態における吐水ヘッド１０６ａの分解斜視図である。
吐水ヘッド１０６ａ（第２の管）は、外殻１２６ａに内管１２８ａが収容される二重構造を有する。内管１２８ａは継手管１１８ａ（第１の管）を収容し、水道水は通水管１１０から継手管１１８ａ、内管１２８ａを経由して、シンクに吐水される。内管１２８ａには緩衝部材１３４が設置される。緩衝部材１３４は、内管１２８ａの端部に接続されるゴム製部材であり、回転部１０４ａと当接する。
【００１７】
回転部１０４ａの可動部分と、吐水ヘッド１０６ａと回転部１０４ａの接続部分は別なので、回転部１０４ａが頻繁に回転しても、それが吐水ヘッド１０６ａとの接続強度には影響しない。継手管１１８ａが吐水ヘッド１０６ａによって延長される接続構造であるため、吐水ヘッド１０６ａを水平方向に回転させると、その回転力がそのまま継手管１１８ａに伝わるため、ユーザによる回転操作を回転部１０４ａの回転力として伝えやすい。
【００１８】
外殻１２６ａに形成されるネジ穴（図６等参照）から挿入されるネジ１３２により、外殻１２６ａの内部に内管１２８ａは固定される。内管１２８ａの外側には、リング１２０ａ（留め具）が取り付けられる。詳細は後述するが、リング１２０ａは内管１２８ａの外側において周方向Ｐに回転可能である。リング１２０ａにおいては、内向きに２つのリング突起１３８（第２の突起部）が形成される。継手管１１８ａの外面にも、２つの継手突起１４０（第１の突起部）が形成される。
【００１９】
リング１２０ａの外側には操作部１３０ａ（部品）が取り付けられる。操作部１３０ａは、操作窓１２２ａから露出する。ユーザは、操作窓１２２ａから露出する操作部１３０ａに指を添えて、操作部１３０ａを周方向Ｐに回転させることにより、外殻１２６ａと内管１２８ａに挟まれるリング１２０ａを回転させることができる。
【００２０】
図４は、内管１２８ａの拡大斜視図である。
内管１２８ａの端部は、少なくとも外殻１２６ａよりは弾性率が高い緩衝部材１３４によって覆われる。本実施形態における緩衝部材１３４はゴム製である。緩衝部材１３４は、内管１２８ａおよび外殻１２６ａの回転部１０４ａとの当接面をカバーする。緩衝部材１３４の当接面１３６の当接幅Ｔは、少なくとも、外殻１２６ａの厚みよりも大きい。回転部１０４ａは円筒形状であるため、緩衝部材１３４の当接面１３６も回転部１０４ａの円筒形状（曲面形状）と一致する形状となっている。柔らかい緩衝部材１３４を介して、吐水ヘッド１０６ａと回転部１０４ａを当接させることにより、吐水ヘッド１０６ａと水栓本体部１１２を隙間無く密着させることができる。また、当接幅Ｔを大きくすることにより、吐水ヘッド１０６の先端が回転部１０４ａに傷を付けにくくなる。
【００２１】
内管１２８ａの外側にはリング１２０ａが設置される。内管１２８ａには、リング突起１３８を通すための切欠１４４が形成される。また、切欠１４４にはリング突起１３８の周方向への動きを規制するための係止部１４２（でっぱり）が設けられる。ユーザが操作部１３０ａを周方向に動かすと、リング突起１３８も周方向に動く。
【００２２】
図５は、吐水ヘッド１０６ａと継手管１１８ａの接続部分の拡大断面図である。
内管１２８ａは、ネジ１３２により外殻１２６ａに固定される。内管１２８ａは、継手管１１８ａを収容する。継手管１１８ａはその外面に２つの継手突起１４０を有する。この継手突起１４０とリング１２０ａのリング突起１３８が対向することにより、吐水ヘッド１０６ａの軸方向Ｘへの動きが規制される。図５の場合、リング突起１３８が継手突起１４０に引っかかるため、吐水ヘッド１０６ａを軸方向Ｘに引っ張っても、吐水ヘッド１０６ａを外すことはできない。
【００２３】
以下、吐水ヘッド１０６ａが継手管１１８ａに固定されて取り外せない状態のことを「ロック状態」とよび、吐水ヘッド１０６ａを継手管１１８ａから取り外し可能な状態のことを「リリース状態」とよぶ。また、ロック状態における操作部１３０ａ（リング１２０ａ）のポジションのことを「ロックポジション」、リリース状態におけるポジションのことを「リリースポジション」とよぶことにする。
【００２４】
図６は、吐水ヘッド１０６ａを回転部１０４ａに取り付ける前の外観斜視図である。
図６に示すように、外殻１２６ａの下部には周方向に延伸する操作窓１２２ａが形成される。このため、操作窓１２２ａにつながるリング１２０ａは、周方向に回転することはできるが、軸方向のスライド移動はできない。ユーザは、操作窓１２２ａから露出する操作部１３０ａをリリースポジションにセットした上で、吐水ヘッド１０６ａを継手管１１８ａの上からかぶせる。操作部１３０ａがリリースポジションにあるときには、リング突起１３８ａ，１３８ｂと継手突起１４０ａ，１４０ｂは軸方向において重ならない（図７参照）。このため、吐水ヘッド１０６ａは、継手突起１４０ａ，１４０ｂに規制されることなく、回転部１０４ａと当接する。図７は、リング突起１３８と継手突起１４０の周辺を奧側（回転部１０４ａ側）から見た図である。継手突起１４０よりもリング突起１３８の方が奥側にある（図５も参照）。
【００２５】
図８は、吐水ヘッド１０６ａを回転部１０４ａに取り付けた後の外観斜視図である。
吐水ヘッド１０６ａを回転部１０４ａに当接するまで押し込んだあと、ユーザは、操作部１３０ａをロックポジションにセットする。すると、吐水ヘッド１０６ａの内部においてリング１２０ａが回転し、継手突起１４０ａとリング突起１３８ａ、継手突起１４０ｂとリング突起１３８ｂがそれぞれ軸方向において重なる（図９参照）。この結果、図５にも示したように、リング突起１３８と継手突起１４０の重ね合わせによって、吐水ヘッド１０６ａが抜けなくなる。図９も、リング突起１３８と継手突起１４０の周辺を奧側（回転部１０４ａ側）から見た図である。
【００２６】
第１実施形態の接続構造によれば、操作窓１２２ａから露出する操作部１３０ａを周方向に移動させることで、ロック状態とリリース状態を簡単に切り替えることができる。操作部１３０ａがリリースポジションにあるときには吐水ヘッド１０６ａを自在に挿抜できる。吐水ヘッド１０６ａに継手管１１８ａを収容したあと、操作部１３０ａをロックポジションにセットすれば、リング突起１３８ａと継手突起１４０ａが軸方向において互いに重なることで、吐水ヘッド１０６ａは抜けなくなる。
【００２７】
更に、内管１２８ａの切欠１４４に係止部１４２を設けることで、操作部１３０ａが簡単に周方向に動かないようになっている。このため、いったんロック状態となると、操作部１３０ａが不意にリリースポジションに戻ることもないため、いっそう接続を安定させやすくなる。操作部１３０ａをリリースポジションに戻すためには、ユーザはある程度の力を込め操作部１３０ａを周方向に動かす必要がある。
【００２８】
まとめると、リング突起１３８と継手突起１４０の対向により、吐水ヘッド１０６ａと継手管１１８ａの接続を確実にしている。更に、係止部１４２がリング１２０ａの周方向の動きを規制することで、リング１２０ａのロックポジションへのセットを確実にしている。
【００２９】
図１０は、第１実施形態の変形例としての接続構造の模式図である。
図１０は、収容管１４８が挿入管１３７を収容し、これら２つの管を接続する構造の変形例を示す。この変形例では、収容管１４８ではなく挿入管１３７にリング１５２が回転自在に取り付けられる。また、収容管１４８の内壁面には１以上の突起１５０が設けられる。収容管１４８の入口方向Ｑからマイナスドライバーなどの工具を差し込んでリング１５２を回転させることにより、リング１５２のリング突起１３８と収容管１４８の突起１５０を重ね合わせることで、２つの管の接続をロックしてもよい。
【００３０】
［第２実施形態］
図１１は、第２実施形態における吐水ヘッド１０６ｂの分解斜視図である。
第２実施形態の吐水ヘッド１０６ｂ（第２の管）も、外殻１２６ｂに内管１２８ｂが収容される二重構造を有する。外殻１２６ｂは第１実施形態と同形状を有するが、内管１２８ｂの形状は第１実施形態の内管１２８ａとは異なる。内管１２８ｂは継手管１１８ｂ（第２の管）を収容し、水道水は通水管１１０から継手管１１８ｂ、内管１２８ｂを経由して、シンクに吐水される。内管１２８ｂには緩衝部材１３４が設置される。緩衝部材１３４は、第１実施形態のものと同じである。
【００３１】
外殻１２６ｂに形成されるネジ穴から挿入されるネジ１３２により、外殻１２６ｂと内管１２８ｂは固定される。内管１２８ｂの外側には、リング１２０ｂ（留め具）が取り付けられる。詳細は後述するが、第２実施形態におけるリング１２０ｂは内管１２８ｂの外側において軸方向Ｘにスライド可能であるが、周方向Ｐへの動きは規制される。
【００３２】
リング１２０ｂの外側には操作部１３０ｂ（部品）が取り付けられる。操作部１３０ｂは、操作窓１２２ｂ（図１２等参照）から露出する。操作窓１２２ｂから露出する操作部１３０ｂに指を添えて、操作部１３０ｂを軸方向Ｘにスライドさせることにより、外殻１２６ｂと内管１２８ｂに挟まれるリング１２０ｂをスライドさせることができる。
【００３３】
第２実施形態の継手管１１８ｂには溝１５４（第１係合部）が形成される。内管１２８ｂは爪１５６（第２係合部）を有する。この爪１５６が溝１５４に嵌ることで、内管１２８ｂと継手管１１８ｂは接続される。更に、爪１５６の直上までリング１２０ｂをスライドさせることで、爪１５６と溝１５４の係合を確実にする。爪１５６、溝１５４およびリング１２０ｂの関係については後述する。
【００３４】
図１２は、吐水ヘッド１０６ｂを回転部１０４ｂに取り付ける前の外観斜視図である。
第２実施形態における操作窓１２２ｂは、吐水ヘッド１０６ｂの軸方向Ｘに延びる。このため、操作部１３０ｂとそれにつながるリング１２０ｂは軸方向Ｘに移動可能であるが、周方向への移動はできない。ユーザは、操作窓１２２ｂから露出する操作部１３０ｂをリリースポジションにセットした上で、吐水ヘッド１０６ｂを継手管１１８ｂにかぶせる。操作部１３０ｂがリリースポジションにあるときには、リング１２０ｂは爪１５６の直上よりも奥にずれている（図１３参照）。図１３は、リリース状態における接続箇所の断面図である。爪１５６と外殻１２６ｂの間に隙間があるので、爪１５６と溝１５４は係合するものの、吐水ヘッド１０６ｂを引っぱればこの係合は簡単に外すことができる。
【００３５】
図１４は、吐水ヘッド１０６ｂを回転部１０４ｂに取り付けた後の外観斜視図である。
吐水ヘッド１０６ｂを回転部１０４ｂに当接するまで押し込んだあと、ユーザは、操作部１３０ｂを軸方向に動かし、ロックポジションにセットする。このときリング１２０ｂは爪１５６の直上にスライドする（図１５参照）。リング１２０ｂにより、爪１５６と外殻１２６ｂの隙間が埋められる。いいかえれば、外殻１２６ｂと爪１５６の間に挿入されたリング１２０ｂが邪魔になって、爪１５６と溝１５４の係合が外れなくなる。
【００３６】
図１６は、内管１２８ｂの外観斜視図である。図１７は、内管１２８ｂのレール１５８付近を拡大した模式図である。
内管１２８ｂの表面にはレール１５８が形成され、レール１５８はリング１２０ｂの通過口１６０を通る。レール１５８の幅は、爪１５６の直上（ロックポジション）でもっとも狭く、その両端で広くなる。図１７は、レール１５８の形状をわかりやすく示すため、実際よりもレール１５８の幅が大きく変化する形状にて模式的に描いている。図１７に示すように、ロックポジションＬＰにおけるレール１５８の幅Ｔ１よりも、その両側の幅Ｔ２，Ｔ３の方が広い。
【００３７】
レール１５８は、ロックポジションＬＰ付近でもっとも幅が狭くなるため、リング１２０ｂはロックポジションＬＰ付近でもっとも動きやすい。その一方、ロックポジションＬＰから離れるほどレール１５８の幅が広いため、レール１５８が通過口１６０を通過しにくくなる。このため、いったん、リング１２０ｂをロックポジションＬＰにセットすればリング１２０ｂが自然にリリースポジションＲＰに戻ってしまうことはなく、リング１２０ｂはロックポジションＬＰに安定する。ユーザがある程度の力を込めて操作部１３０ｂを動かせば、ロックポジションＬＰからリリースポジションＲＰにリング１２０ｂを動かすことができる。
【００３８】
第２実施形態の接続構造によれば、操作窓１２２ｂから露出する操作部１３０ｂを軸方向（前後方向）にスライドさせることで、ロック状態とリリース状態を簡単に切り替えることができる。操作部１３０ｂがリリースポジションにあるときには吐水ヘッド１０６ｂを自在に挿抜できる。また、いったん、吐水ヘッド１０６ｂに継手管１１８ｂを収容したあと、操作部１３０ｂをロックポジションにセットすれば、溝１５４と爪１５６の係合をリング１２０ｂでしっかりと押さえつけることができる。特に、レール１５８の幅広形状とすることでリング１２０ｂのスライド方向への動きが規制されるので、リング１２０ｂをロックポジションに安定させやすくなる。
【００３９】
なお、第２実施形態においては、挿入側の継手管１１８ｂに溝１５４を設け、収容側の内管１２８ｂに爪１５６を設けているがこれは逆でもよい。すなわち、継手管１１８ｂに爪１５６を設け、内管１２８ｂに溝１５４を設け、両者の係合をリング１２０ｂで押さえてもよい。
【００４０】
以上、第１および第２の実施形態に基づいて、水栓１００の接続構造について説明した。
いずれの実施形態においても、吐水ヘッド１０６（内管１２８）に継手管１１８を収容し、内管１２８にリング１２０が設置される。第１実施形態においては、リング１２０ａのリング突起１３８と継手管１１８ａの継手突起１４０を重ねることで、吐水ヘッド１０６ａと回転部１０４ａの接続をロックしている。第２実施形態においては、内管１２８ｂの爪１５６と継手管１１８ｂの溝１５４を係合させ、これを爪１５６によって上から押さえつけることで吐水ヘッド１０６ｂと回転部１０４ｂの接続をロックしている。第２実施形態の場合、剛性のある外殻１２６ｂがリング１２０ｂを介して爪１５６を押さえつける。また、リング１２０ｂの軸方向への動きは、レール１５８によっても規制される。
【００４１】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４２】
本実施形態においては、水栓本体部１１２（継手管１１８）と吐水ヘッド１０６（内管１２８）の接続構造を中心として説明したが、本発明の接続構造は、二つの管を一方が他方を収容する構造にて接続する場合であれば広く応用可能である。
【００４３】
上述に記載の実施形態からは、以下の発明を認識することができる。
【００４４】
１．本発明のある態様における接続構造は、外面に第１の突起部を有する第１の管と、内向きに突出する第２の突起部を有するリングと、第１の管が挿入可能に形成され、かつ、リングが周方向に回転可能に設置される第２の管と、を備える。
リングの回転により第１の突起部と第２の突起部が位置合わせされたときに、第１の管と第２の管が固定される。
このような態様によれば、２つの突起が重ならない状態で第１の管を第２の管に挿入したあと、リングを回転させて２つの突起を重ね合わせることで、２つの管の挿抜方向（軸方向）への動きを簡単に規制できる。
【００４５】
２．リングは、外面に操作部を有してもよい。第２の管は、周方向に延伸する操作窓を有してもよい。リングは、操作部を操作窓から露出させた状態で、第２の管の内側に設置され、操作窓から露出する操作部を周方向に移動させることにより、第２の管の外からリングを回転可能に構成されてもよい。
外側の第２の管から露出する操作部を動かすことでリングを回転させることができる。このため、２つの管を接続したあとでも、簡単にリング（ロック機構）を操作しやすくなる。
【００４６】
３．本発明の別の態様における接続構造は、第１の突起部を有する第１の管と、第２の突起部を有するリングと、第１の管が挿入可能または第１の管に挿入可能に形成され、かつ、リングが回転可能に設置される第２の管と、を備える。
リングの回転により第１の突起部と第２の突起部が位置合わせされたときに、第１の管と第２の管が固定される。
【００４７】
このような態様においても、２つの突起が重ならない状態で２つの管を組み合わせたあと、リングを回転させて２つの突起を重ね合わせることで、２つの管の挿抜方向（軸方向）への動きを簡単に規制できる。
【００４８】
４．本発明のさらに別の態様もまた、接続構造である。この接続構造は、外面に第１の係合部を有する第１の管と、第２の係合部を有するとともに第１の管を挿入可能な内管と、内管を覆う外殻を含む第２の管と、第２の管において、内管と外殻の間で軸方向にスライド可能に設置される留め具と、を備える。第１の係合部と第２の係合部を係合させた状態において、留め具が第２の係合部の直上までスライドされたときに、第１の管および第２の管が固定される。
この態様によると、第１の係合部と第２の係合部を係合させ、その係合を留め具で押さえることができる。留め具が内管と外殻に挟まれる構造であるため、外殻が留め具を介して係合を確実にしやすくなる。スプリングなどの機械部品を必要としないシンプルな構造でありながら、２つの管の接続力を強化しやすくなる。
【００４９】
５．第１の係合部は第１の管の外面に形成される溝であり、第２の係合部は溝に係合する爪であってもよい。
【００５０】
６．留め具は、外面に操作部を有してもよい。第２の管の外殻は、軸方向に延伸する操作窓を有してもよい。留め具は、操作部を操作窓から露出させた状態で、外殻の内側に設置され、操作窓から露出する操作部を軸方向に移動させることにより、第２の管の外から留め具をスライド可能に構成されてもよい。
外側の第２の管から露出する操作部を動かすことで留め具をスライドさせることができる。このため、２つの管を接続したあとでも、簡単に留め具（ロック機構）を操作しやすくなる。
【００５１】
７．本発明の別の態様は水栓である。この水栓は、側面に継手管が形成される本体部と、内向きに突出する第２の突起部を有するリングと、継手管が挿入可能に形成され、かつ、リングが周方向に回転可能に設置される吐水ヘッドと、を備える。
継手管の外面には第１の突起部が形成されている。第１の突起部と第２の突起部の係合により継手管と吐水ヘッドが相互固定される。
【００５２】
８．本発明の更に別の態様も、水栓である。この水栓は、外面に第１の係合部を有する継手管と、第２の係合部を有するとともに継手管を挿入可能な内管と、内管を覆う外殻を含む吐水ヘッドと、吐水ヘッドにおいて内管と外殻の間で軸方向にスライド可能に設置される留め具と、を備える。
第１の係合部と第２の係合部を係合させた状態において、留め具が第２の係合部の直上までスライドされたときに、継手管および吐水ヘッドが相互固定される。
【符号の説明】
【００５３】
１００  水栓、  １０２  吐水ハンドル、  １０４  回転部、  １０６  吐水ヘッド、  １０８  支柱部、  １１０  通水管、  １１２  水栓本体部、  １１４  支柱キャップ、  １１６  操作突起、  １１８  継手管、  １２０  リング、  １２２  操作窓、  １２４  通水口、  １２６  外殻、  １２８  内管、  １３０  操作部、  １３２  ネジ、  １３４  緩衝部材、  １３７  挿入管、  １３８  リング突起、  １４０  継手突起、  １４２  係止部、  １４４  切欠、  １４８  収容管、  １５０  突起、  １５２  リング、  １５４  溝、  １５６  爪、  １５８  レール、  １６０  通過口。
【図１】
0006615563.tif 000002
【図２】
0006615563.tif 000003
【図３】
0006615563.tif 000004
【図４】
0006615563.tif 000005
【図５】
0006615563.tif 000006
【図６】
0006615563.tif 000007
【図７】
0006615563.tif 000008
【図８】
0006615563.tif 000009
【図９】
0006615563.tif 000010
【図１０】
0006615563.tif 000011
【図１１】
0006615563.tif 000012
【図１２】
0006615563.tif 000013
【図１３】
0006615563.tif 000014
【図１４】
0006615563.tif 000015
【図１５】
0006615563.tif 000016
【図１６】
0006615563.tif 000017
【図１７】
0006615563.tif 000018